【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】  式（Ｉ）
【化１】
2000204075.tif 000001
の化合物またはその医薬的に許容し得る塩またはそのＣ1-8エステル。
上記式において、
Ｒ1は、Ｈ、Ｃ1-8アルキル、Ｃ3-8アルケニル、Ｃ3-8アルキニル、Ｃ3-8シクロアルキル、フェニル、（フェニル）Ｃ1-4アルキル、（フェニル）Ｃ3-4アルケニル、（フェニル）Ｃ3-4アルキニル、（Ｃ3-8シクロアルキル）Ｃ1-4アルキル、（Ｃ3-8シクロアルキル）Ｃ3-4アルケニル、（Ｃ3-8シクロアルキル）Ｃ3-4アルキニル、Ｃ3-8複素環式基、（Ｃ3-8複素環式基）Ｃ1-4アルキル、（Ｃ3-8複素環式基）Ｃ3-4アルケニル、（Ｃ3-8複素環式基）Ｃ3-4アルキニル、(ＣＨ2)2-4ＯＲCまたは(ＣＨ2)2-4ＮＲCＲDであり；
Ｒ2は、Ｈ、Ｃ1-4アルキル、フェニル、Ｃ3-6シクロアルキル、Ｃ3-6複素環式基または（Ｃ3-6シクロアルキル）メチルであり；
Ｒ3およびＲ4のそれぞれは、独立して、Ｈ、Ｆ、ＮＯ2、ＢrおよびＣlから選択されたものであり；
Ｒ5は、ＨおよびＦから選択されたものであり；
Ｒ6は、Ｈ、ＣlまたはＣＨ3であり；
ＲCおよびＲDのそれぞれは、独立して、Ｈ、Ｃ1-4アルキル、Ｃ3-4アルケニル、Ｃ3-4アルキニル、Ｃ3-6シクロアルキルおよびフェニルから選択されたものであるか；またはＮＲCＲDは、ピペリジノ、モルホリノまたはＮ−（Ｃ1-6アルキル）ピペラジノ環であることができ；
上述したそれぞれの炭化水素基は、場合によっては、独立してハロゲン、ヒドロキシル
、アミノ、（アミノ）スルホニルおよびＮＯ2から選択された１〜３個の置換分により置換されていてもよく；そして
上述したそれぞれの複素環式基は、場合によっては、独立してハロゲン、Ｃ1-4アルキル、Ｃ3-6シクロアルキル、Ｃ3-4アルケニル、Ｃ3-4アルキニル、フェニル、ヒドロキシル、アミノ、（アミノ）スルホニルおよびＮＯ2から選択された１〜３個の置換分によって置換されていてもよく、そしてそれぞれの置換分アルキル、シクロアルキル、アルケニル、アルキニルまたはフェニルは、次いで場合によっては、独立してハロゲン、Ｃ1-2アルキル、ヒドロキシル、アミノおよびＮＯ2から選択された１〜２個の置換分により置換されていてもよい。
【請求項２】  Ｒ3が臭素または塩素である請求項１記載の化合物。
【請求項３】  Ｒ4が弗素である請求項１記載の化合物。
【請求項４】  Ｒ5がＨである請求項１記載の化合物。
【請求項５】  Ｒ4およびＲ5のそれぞれがＨである請求項４記載の化合物。
【請求項６】  Ｒ4およびＲ5のそれぞれが弗素である請求項１記載の化合物。
【請求項７】  Ｒ3が臭素である請求項６記載の化合物。
【請求項８】  Ｒ3が弗素である請求項６記載の化合物。
【請求項９】  Ｒ4がニトロである請求項１記載の化合物。
【請求項１０】  Ｒ5がＨである請求項８記載の化合物。
【請求項１１】  Ｒ6が塩素である請求項１記載の化合物。
【請求項１２】  Ｒ6がメチルである請求項１記載の化合物。
【請求項１３】  Ｒ1がＨまたはＣ1-4アルキルであり、Ｒ2がＨである請求項１記載の化合物。
【請求項１４】  Ｒ1が（Ｃ3-6シクロアルキル）メチルである請求項１記載の化合物。
【請求項１５】  Ｒ1がＨである請求項１記載の化合物。
【請求項１６】  Ｒ1が(ＣＨ2)2-4ＯＲCまたは(ＣＨ2)2-4ＮＲCＲDである請求項１記載の化合物。
【請求項１７】  構造：４−フルオロ−２−（４−ヨード−２−メチル−フェニルアミノ）−ベンゼンスルホン酸；４−フルオロ−Ｎ−ヒドロキシ−２−（４−ヨード−２−メチル−フェニルアミノ）−ベンゼンスルホンアミド；Ｎ−シクロプロピルメトキシ−４−フルオロ−２−（４−ヨード−２−メチル−フェニルアミノ）−ベンゼンスルホンアミド；３,４−ジフルオロ−２−(４−ヨード−２−メチル−フェニルアミノ）−ベンゼンスルホン酸；３,４−ジフルオロ−Ｎ−ヒドロキシ−２−（４−ヨード−２−メチル−フェニルアミノ）−ベンゼンスルホンアミド；Ｎ−シクロプロピルメトキシ−３,４−ジフルオロ−２−(４−ヨード−２−メチル−フェニルアミノ）−ベンゼンスルホンアミド；３,４,５−トリフルオロ−２−（４−ヨード−２−メチル−フェニルアミノ）−ベンゼンスルホン酸；３,４,５−トリフルオロ−Ｎ−ヒドロキシ−２−（４−ヨード−２−メチル−フェニルアミノ）−ベンゼンスルホンアミド；Ｎ−シクロプロピルメトキシ−３,４,５−トリフルオロ−２−(４−ヨード−２−メチル−フェニルアミノ)−ベンゼンスルホンアミド；５−ブロモ−３,４−ジフルオロ−２−（４−ヨード−２−メチル−フェニルアミノ）−ベンゼンスルホン酸；５−ブロモ−３,４−ジフルオロ−Ｎ−ヒドロキシ−２−（４−ヨード−２−メチル−フェニルアミノ）−ベンゼンスルホンアミド；５−ブロモ−Ｎ−シクロプロピルメトキシ−３,４−ジフルオロ−２−（４−ヨード−２−メチル−フェニルアミノ）−ベンゼンスルホンアミド；２−（４−ヨード−２−メチル−フェニルアミノ）−４−ニトロ−ベンゼンスルホン酸；Ｎ−ヒドロキシ−２−（４−ヨード−２−メチル−フェニルアミノ）−４−ニトロ−ベンゼンスルホンアミド；またはＮ−シクロプロピルメトキシ−２−（４−ヨード−２−メチル−フェニルアミノ）−４−ニトロ−ベンゼンスルホンアミドを有する請求項１記載の化合物。
【請求項１８】  構造：２−（２−クロロ−４−ヨード−フェニルアミノ）−４−フルオロ−ベンゼンスルホン酸；２−（２−クロロ−４−ヨード−フェニルアミノ）−４−
フルオロ−Ｎ−ヒドロキシ−ベンゼンスルホンアミド；２−（２−クロロ−４−ヨード−フェニルアミノ）−Ｎ−シクロプロピルメトキシ−４−フルオロ−ベンゼンスルホンアミド；２−（２−クロロ−４−ヨード−フェニルアミノ）−３,４−ジフルオロ−ベンゼンスルホン酸；２−（２−クロロ−４−ヨード−フェニルアミノ）−３,４−ジフルオロ−Ｎ−ヒドロキシ−ベンゼンスルホンアミド；２−（２−クロロ−４−ヨード−フェニルアミノ）−Ｎ−シクロプロピルメトキシ−３,４−ジフルオロ−ベンゼンスルホンアミド；２−（２−クロロ−４−ヨード−フェニルアミノ）−３,４,５−トリフルオロ−ベンゼンスルホン酸；２−（２−クロロ−４−ヨード−フェニルアミノ）−３,４,５−トリフルオロ−Ｎ−ヒドロキシ−ベンゼンスルホンアミド；２−（２−クロロ−４−ヨード−フェニルアミノ）−Ｎ−シクロプロピルメトキシ−３,４,５−トリフルオロ−ベンゼンスルホンアミド；５−ブロモ−２−（２−クロロ−４−ヨード−フェニルアミノ）−３,４−ジフルオロ−ベンゼンスルホン酸；５−ブロモ−２−（２−クロロ−４−ヨード−フェニルアミノ）−３,４−ジフルオロ−Ｎ−ヒドロキシ−ベンゼンスルホンアミド；５−ブロモ−２−（２−クロロ−４−ヨード−フェニルアミノ）−Ｎ−シクロプロピルメトキシ−３,４−ジフルオロ−ベンゼンスルホンアミド；２−（２−クロロ−４−ヨード−フェニルアミノ）−４−ニトロ−ベンゼンスルホン酸；２−（２−クロロ−４−ヨード−フェニルアミノ）−Ｎ−ヒドロキシ−４−ニトロ−ベンゼンスルホンアミド；または２−（２−クロロ−４−ヨード−フェニルアミノ）−Ｎ−シクロプロピルメトキシ−４−ニトロ−ベンゼンスルホンアミドを有する請求項１記載の化合物。
【請求項１９】  請求項１記載の化合物および医薬的に許容し得る担体からなる医薬組成物。